(57)【特許請求の範囲】
【請求項１】
ベース台上に設けられた駆動部および被駆動部間に架設されるループ部材と、該ループ部材に固持され該ループ部材の移動に伴って前記駆動部および被駆動部間を前記ベース台に案内されて往復動する移動体と、該移動体と前記駆動部側および被駆動部側との間を遮蔽するためその一端側を前記移動体に固定し他端側を前記駆動部側および被駆動部側の不動部に固定するジャバラとを設けた装置であって、前記ジャバラが、２本の前記ループ間に収納されて配置され、前記２本のループ間の間隔が前記ジャバラの折り畳み時における波高に略等しい寸法からなることを特徴とするジャバラ座屈防止装置。
【請求項２】
前記駆動部および被駆動部とこれに架設されるループ部材が２組の並設されたものからなり、夫々の組のループ部材に固定される前記移動体と前記駆動部側および被駆動部側との間に前記ジャバラが架設され、該ジャバラは前記２組のループ部材間の間隙内に収納され、前記間隙が前記ジャバラの折り畳み時の波高に略等しいものからなることを特徴とする請求項１に記載のジャバラ座屈防止装置。
【請求項３】
前記ループ部材の移動する向きと前記ジャバラの伸縮する向きが一致してなることを特徴とする請求項１又は２に記載のジャバラ座屈防止装置。
【請求項４】
前記ループ部材が、ワイヤ又はベルトであることを特徴とする請求項１乃至３のいずれかに記載のジャバラ座屈防止装置。
【請求項５】
前記ループ部材の前記ジャバラと当接する側には摩擦抵抗低減材が設けられてなることを特徴とする請求項１乃至４のいずれかに記載のジャバラ座屈防止装置。
【請求項６】
前記ループ部材の表面にコーティングされる前記摩擦抵抗低減材がナイロンであることを特徴とする請求項５に記載のジャバラ座屈防止装置。
【請求項７】
前記ジャバラが、厚み０．０５ｍｍ程度の黒色ポリエステルフイルムを曲げ加工して形成され、両側に両面テープを貼着したものからなることを特徴とする請求項１乃至６のいずれかに記載のジャバラ座屈防止装置。
【発明の詳細な説明】
【０００１】
【発明の属する技術分野】
本発明は、ベース台上の駆動部と被駆動部間に架設されるループ部材に固定されて往復動する移動体のまわりからの光の洩れを防止するジャバラを有する装置に係り、特に、移動体の移動時におけるジャバラの座屈変形を防止するに好適なジャバラ座屈防止装置に関する。
【０００２】
【従来の技術】
例えば、アナログ複写機の光学系において、複写原稿のセット位置が端面基準の場合には複写倍率，原稿サイズ又は複写モードの変更に対応してレンズを光軸方向および光軸垂直方向に二次元的に移動させる必要がある。図１３および図１４は前記光学系の概要構造を示すものである。ベース台に相当するレンズキャリッジ２ａはレンズレール３ａとこれに固定されるキャリッジブラケット４ａからなる。
【０００３】
一方、レンズ８ａを有するレンズベース９ａはレンズレール３ａの立ち上り部５ａに案内されレンズレール３ａの長手方向に沿って摺動可能に支持される。キャリッジブラケット４ａには駆動部側の回転軸１０ａが設けられ、レンズレール３ａには被駆動側の回転軸１１ａが夫々設けられ、これ等の回転軸１０ａ，１１ａ間にはワイヤ又はベルト等のループ部材１４ａがレンズレール３ａの長手方向に沿って架設される。また、ループ部材１４ａの中間部にはレンズベース９ａが連結される。
【０００４】
以上の構造により、駆動部側の回転軸１０ａを歯車機構１５ａ等を介して図略の駆動手段により駆動することによりループ部材１４ａが移動し、それに伴ってレンズベース９ａがレンズレール３ａに案内されその長手方向に沿って往復動する。
【０００５】
また、図１３，図１４に示すように、光学ベース７ａ上にはレール２６がレンズレール３ａの長手方向と直交して設けられ、レンズキャリッジ２ａはレール２６に摺動自在に支持されると共にワイヤ２７およびこれに連結する図略の駆動手段によりループ部材１４ａの移動方向と直交する方向に移動する。以上により、レンズベース９ａは二次元方向に移動する。なお、図１４に示すようにレンズキャリッジ２ａの下面にはシュー２８が設けられ、光学ベース７ａ上を摺動する。
【０００６】
図１３において、図の上方側には光源を有する物体面があり、下方側には像面が形成されているためレンズベース９ａの両側面を遮蔽しないと光源の光が感光体の像面に洩れて感光不良が発生する。そのためレンズベース９ａから外れたその側部を通過した光が感光体に到らないようにジャバラ１ａが設けられている。
【０００７】
ジャバラ１ａは図１５に示すように薄肉の屈曲性部材を波形に屈曲したものからなり、図１３，図１４に示すようにジャバラ１ａはその一端側をレンズベース９ａのＬ型遮光板１６ａ，１７ａに固着し、他端側をレンズレール３ａの立ち上り部２８およびキャリッジブラケット４ａの貼付部２９に夫々固着して配置される。
【０００８】
一方、複写装置における遮光構造に関する公知技術としては、例えば、特開平４−３１０９３６号公報が上げられる。この遮光構造は、一対のリンク状の遮光板と、互いに係合し合う一対のジャバラ部材とからなり、一対の遮光板およびジャバラ部材の一方がズームレンズ側に連結し、ズームレンズまわりの光の洩れを防止するようにする構造のものからなる。
【０００９】
【発明が解決しようとする課題】
図１６に示すように、レンズベース９ａが例えば最も右側に移動した時、正常なジャバラ１ａ図示のように折り畳される。然し乍ら、レンズベース９ａが往復動を繰り返してジャバラ１ａを多数回伸縮させるとジャバラ１ａの初期曲げ加工時における折り目が経時的に広げられ、そのため、図１７に示すようにレンズベース９ａが例えば右側に移動するとジャバラ１ａが座屈し部分的に外方に張り出る異常変形が生じジャバラ同士が互いに干渉する問題点がある。そのため、レンズベース９ａが正しい位置に移動できない問題点が生ずる。そのため、コピー画像においてはレンズ８ａの位置が正確に位置決めされないため、所謂画像の横ズレ現象が生じ画像不良となる問題点がある。
【００１０】
一方、前記した公知技術の特開平４−３１０９３６号公報の場合には、レンズフードの移動に伴って一対の遮光板間およびジャバラ部材間の係合状態が変化し、レンズフードの移動時においてその上下に形成される間隙を閉止し、レンズ側部におけるレンズを通過しない不要の光を確実遮光するものであるが、遮光板やジャバラ部材の構造やその係合構造が複雑であり部品点数も多く、コスト高となる問題点がある。
【００１１】
本発明は、以上の問題点を解決するもので、簡単で安価な構造から構成され、移動体まわりからの光の洩れを確実に防止し得ると共に、遮光用に使用されるジャバラの経時変化に伴う座屈を防止し、移動体の位置決めを正確に保持し得るジャバラ座屈防止装置を提供することを目的とする。
【００１２】
【課題を解決するための手段】
請求項１に記載のジャバラ座屈防止装置は、ベース台上に設けられた駆動部および被駆動部間に架設されるループ部材と、該ループ部材に固持され該ループ部材の移動に伴って前記駆動部および被駆動部間を前記ベース台に案内されて往復動する移動体と、該移動体と前記駆動部側および被駆動部側との間を遮蔽するためその一端側を前記移動体に固定し他端側を前記駆動部側および被駆動部側の不動部に固定するジャバラとを設けた装置であって、前記ジャバラが、２本の前記ループ間に収納されて配置され、前記２本のループ間の間隔が前記ジャバラの折り畳み時における波高に略等しい寸法からなることを特徴とする。
【００１３】
請求項２に記載のジャバラ座屈防止装置は、前記駆動部および被駆動部とこれに架設されるループ部材が２組の並設されたものからなり、夫々の組のループ部材に固定される前記移動体と前記駆動部側および被駆動部側との間に前記ジャバラが架設され、該ジャバラは前記２組のループ部材間の間隙内に収納され、前記間隙が前記ジャバラの折り畳み時の波高に略等しいものからなることを特徴とする。
【００１４】
請求項３に記載のジャバラ座屈防止装置は、前記ループ部材の移動する向きと前記ジャバラの伸縮する向きが一致してなることを特徴とする。
【００１５】
請求項４に記載のジャバラ座屈防止装置は、前記ループ部材が、ワイヤ又はベルトであることを特徴とする。
【００１６】
請求項５に記載のジャバラ座屈防止装置は、前記ループ部材の前記ジャバラと当接する側には摩擦抵抗低減材が設けられてなることを特徴とする。
【００１７】
請求項６に記載のジャバラ座屈防止装置は、前記ループ部材の表面にコーティングされる前記摩擦抵抗低減材がナイロンであることを特徴とする。
【００１８】
請求項７に記載のジャバラ座屈防止装置は、前記ジャバラが、厚み０．０５ｍｍ程度の黒色ポリエステルフイルムを曲げ加工して形成され、両側に両面テープを貼着したものからなることを特徴とする。
【００２３】
請求項１２に記載のジャバラ座屈防止装置は、前記ベース台が複写機のレンズキャリッジであり、前記移動体がレンズを固定したレンズベースであることを特徴とする。
【００２４】
複写機におけるレンズキャリッジのような移動体がその駆動手段により往復動することにより、該移動体と装置の不動側間に架設されて移動体まわりの光の透過を閉止するジャバラが伸縮する。このジャバラの波高方向は前記移動体を移動させるワイヤ又はベルト等からなるループ部材により案内され、縮小時に伴うジャバラの波高方向への変形が防止される。
【００２６】
以上により、ジャバラが円滑に伸縮し、移動体の位置決めが正確に行なわれる。また、遮光用の部材はジャバラのみでよく、構造が極めて簡単であり、その変形防止手段も簡便なもので安価に実施できる。
【００２７】
【発明の実施の形態】
本発明の実施の形態としては変形機能をもつアナログ複写機において本発明を適用した場合について説明するが、勿論それ以外のループ部材等により駆動される移動体要素を有する装置に対しても適用される。なお、以下の説明においてベース台はレンズキャリッジに相当し、移動体がレンズを固定したレンズベースに相当する。また、ループ部材としてはワイヤ又はベルトを使用するがこれ等をループ部材と総称して説明する。
【００２８】
図１および図２に示すように、レンズキャリッジ２は平板状のレンズレール３とこれに一体的に固定されるキャリッジブラケット４からなり、レンズレール３には案内用の立ち上がり部５が折り曲げ形成される。また、図２に示すようにレンズレール３の下面にはシュー６が固定され光学ベース７上にレンズレール３を移動可能に支持する。
【００２９】
一方、レンズ８を有するレンズベース９はレンズレール３の立ち上がり部５に案内され、その往復動方向（以下、長手方向という）に沿って移動自在に支持される。
【００３０】
レンズレール３上には駆動部側の回転軸１０と被駆動部側の回転軸１１が長手方向に適宜間隔を介して相対向して配置されレンズレール３側に枢支される。また、夫々の回転軸１０，１１は同径のプーリ１２，１３が固定される。プーリ１２，１３間にはループ部材１４が架設される。なお、ループ部材１４の中間にはレンズベース９が連結される。駆動部側の回転軸１０には歯車機構１５が連結し、歯車機構１５は図略の駆動手段に連結される。
【００３１】
レンズベース９の左右には遮光板１６，１７が固定される。また、レンズレール３の駆動部側の回転軸１０に近い位置には貼付部１８が固定され、レンズレール３の被駆動部側の回転軸１１に近い位置には貼付部１９が夫々固定される。遮光板１６と貼付部１８との間および遮光板１７と貼付部１９との間にはジャバラ１，１がその両側端をこれ等に固着して架設される。
【００３２】
なお、ジャバラ１は図１５に示すように、例えば、厚み０．０５ｍｍ程度の黒色ポリエステルフイルムを曲げ加工し波形を形成したものからなり、その両側端には貼着用の両面テープ２０が貼付されるものからなる。また、図１に示すように、ジャバラ１はループ部材１４の内側に収納されると共に、その波高寸法はその両頂点がジャバラ１が縮小した際に２本のループ部材１４の内面側に略当接し得るものからなる。従って、ジャバラ１はループ部材１４の内面に案内される。
【００３３】
歯車機構１５を介して駆動部側の回転軸１０を回転させるとプーリ１２，１３を介してループ部材１４が移動し、レンズベース９がレンズキャリッジ２に案内されて長手方向に移動する。ジャバラ１はレンズベース９の遮光板１６，１７と駆動部側および被駆動部側の貼付部１８，１９間に介設されるためレンズベース９の移動に伴って伸縮する。ジャバラ１はループ部材１４の内面側に収納され、ループ部材１４により案内されるためジャバラ１は座屈することなく単純に伸縮される。これによりレンズベース９は所定の位置に移動することができる。
【００３４】
図３は本発明の別の実施の形態を示す。このジャバラ座屈防止装置は前記のジャバラ座屈防止装置のループ部材１４およびこの駆動機構部を２組並設したものであり基本的な構造は前記のものと同一である。２組のループ部材１４，１４は適宜間隙２１を介して並設され、この間隙内にはジャバラ１，１が介設される。また、前記間隙はジャバラ１が最も縮小した際の波高に略等しい寸法からなり、ジャバラ１はこの間隙により案内される。そのため、レンズベース９の往復動時においてジャバラ１の座屈変形が防止され、前記の実施の形態と同様の効果を上げることができる。
【００３５】
図１，２および図３で示したジャバラ座屈防止装置について、ループ部材１４の移動方向とジャバラ１の伸縮する方向は一致する。このため、レンズベース９の移動に伴ってジャバラ１は円滑に伸縮し、レンズベース９の移動と位置決めを確実、且つ円滑に行なわせる。
【００３６】
ループ部材１４がベルトの場合、該ベルトは内面側に歯部（図略）を形成し、歯車型のプーリ１２，１３に噛合するものが一例として採用される。この場合、ループ部材１４の外面側は平坦に形成されているため、ジャバラ１とベルトとは円滑に係合することができる。また、ループ部材１４のジャバラ１と当接する部分にはナイロン等の摩擦抵抗低減材が塗布される。これにより、ジャバラ１とループ部材１４との係合がより一層円滑に行なわれる。
【００３７】
図４および図５は本発明のジャバラ座屈防止装置の別の実施の形態を示す。本例は装置の基本的構造のうち、ガイド部材２２を除き図１３，図１４に示したものと略同一の構造のものからなり重複説明を省略する。一方、ジャバラ１ａ，１ａにはガイド部材２２が固着される。ジャバラ１ａには図示のようにガイド部材２２が固着される。
【００３８】
図６，図７に示すように、ガイド部材２２はＬ字形状に曲げられたやや剛性のある平板状のものからなり、その基端側には貼着テープ２３が設けられ、先端側には鍵状に曲がった係止部２４が形成される。図８に示すように、ガイド部材２２はその基端側の貼着テープ２３によりジャバラ１ａの傾斜面２５に貼着される。この状態で図８に示すように、ガイド部材２２の係止部はレンズベース９ａの立ち上がり部５ａの基端側に係止される。このガイド部材２２を介し、ジャバラ１ａはレンズベース９ａ側に保持され、ジャバラ１ａは座屈を抑制された状態で伸縮され、レンズベース９ａの位置決めが確実に行なわれる。
【００３９】
図９および図１０はガイド部材２２の具体的な貼着位置を示すものである。ガイド部材２２はジャバラ１ａの傾斜面２５に基端部を貼着するが、図９はレンズベース９ａ側と反対側の傾斜面２５ａ側にガイド部材２２が貼着した場合を示す。レンズベース９ａが矢視Ａの右方向に移動するとガイド部材２２の係止部２４と立ち上がり部５ａとの間に摩擦力が生じガイド部材２２が右倒れに傾斜する。このため、ジャバラ１ａはガイド部材２２の貼着位置を基にして図示のようにたくり上げられ座屈が生じ易くなる。
【００４０】
この不具合をなくすため、図１０に示すようにガイド部材２２はジャバラ１ａの傾斜面２５のうち、レンズベース９ａ側の傾斜面２５ｂに基端部を貼着して取り付ける。この場合には、レンズベース９ａが矢視Ａの右方向に移動し、ガイド部材２２の係止部２４とレンズベース９ａの立ち上がり部５ａとの間に摩擦が生じてガイド部材２２が右方向に倒れると、それに伴ってジャバラ１ａが引っ張られ、座屈が生じない。即ち、ガイド部材２２を図１０に示すように取り付けることによりジャバラ１ａは座屈することなく縮小し、レンズベース９ａを円滑に、且つ所定位置に確実に移動させる。
【００４１】
然し乍ら、自由状態のジャバラ１ａの縮小時における変形は、図１１に示すようにその中央部から始まるのみならず、中央から外れた片寄った位置から図１２に示すように変形が始まる場合があり、その変形位置はジャバラ１ａの形状，長さ等により多様に変化する。そこで、ガイド部材２２は、自由状態のジャバラ１ａの最も座屈の生じ易い位置に取り付けられることが必要である。ジャバラ１ａを実験的に伸縮させることにより最大変形位置が明らかになるため、その位置を予め発見してガイド部材２２を取り付けることが必要である。
【００４２】
また、以上の説明ではガイド部材２２を左右のジャバラ１ａに夫々１個だけ取り付けたものを説明したが、複数個のガイド部材２２を１つのジャバラ１ａに取り付けることによりレンズベース９ａの移動をより円滑に行なわせることができる。
【００４３】
以上の説明は複写機に適用した本発明についての実施の形態を説明したが、前記したように、それに限定するものではなく、ループ部材で移動される移動体と不動側とがジャバラを介して連結される装置に対しても適用可能である。
【００４４】
【発明の効果】
１）本発明の請求項１に記載のジャバラ座屈防止装置によれば、ジャバラがループ部材内に収納され、ループ部材により案内されるため、移動体の移動に伴ってジャバラが座屈することなく縮小し、移動体を所定位置に正しく移動させることが可能になる。
【００４５】
２）本発明の請求項２に記載のジャバラ座屈防止装置によれば、ループ部材およびこの駆動手段を２組並設し、その隣接したループ部材間にジャバラを収納し、ループ部材によりジャバラを案内することができるため移動体が円滑に移動し、所定位置に正しく移動させることができる。
【００４６】
３）本発明の請求項３に記載のジャバラ座屈防止装置によれば、ループ部材とジャバラの伸縮方向を一致させることにより移動体の移動に伴うジャバラの伸縮が円滑に行なわれ、移動体の位置決め移動が確実に行なわれる。
【００４７】
４）本発明の請求項４の記載のジャバラ座屈防止装置によれば、ループ部材としてワイヤ又はベルトを用いることにより装置構造の簡便化が図れコストダウンができる。
【００４８】
５）本発明の請求項５，６のジャバラ座屈防止装置によれば、ループ部材に摩擦抵抗低減材を貼付することにより、ループ部材とジャバラとの間の摩擦抵抗力が低減し、移動体の移動の円滑化が図れる。
【００４９】
６）本発明の請求項７のジャバラ座屈防止装置によれば、ジャバラは薄肉の黒色樹脂材からなり、屈曲性にすぐれると共に、遮光性を有するものからなり、移動体の円滑移動に寄与する。
【図面の簡単な説明】
【図１】本発明のジャバラ座屈防止装置の実施の形態の概方構造を示す平面図である。
【図２】図１の正面図である。
【図３】本発明のジャバラ座屈防止装置の別の実施の形態の概要構造を示す平面図である。
【図４】本発明のジャバラ座屈防止装置のガイド部材を用いた実施の形態の概要構造を示す平面図である。
【図５】図４の正面図である。
【図６】本発明のジャバラ座屈防止装置のガイド部材の側面図である。
【図７】図１の正面図である。
【図８】本発明のジャバラ座屈防止装置のガイド部材のジャバラへの取り付け状態を示す側面図である。
【図９】図６に示したガイド部材を有するジャバラ座屈防止装置のジャバラ縮小時におけるジャバラの座屈状態を示す部分平面図である。
【図１０】図６に示したガイド部材を有するジャバラ座屈防止装置のジャバラ縮小時におけるジャバラの座屈状態を示す部分平面図である。
【図１１】中央部に最大座屈が生ずるジャバラを示す平面図である。
【図１２】中央部から片寄った位置に最大座屈が生ずるジャバラを示す平面図である。
【図１３】従来のジャバラを有する複写機のレンズまわりの概要構造を示す平面図である。
【図１４】図１３の正面図である。
【図１５】ジャバラの斜視図である。
【図１６】従来のジャバラの縮小時の正常状態の形状を示す部分平面図である。
【図１７】従来のジャバラの縮小時における異常変形を示す部分平面図である。
【符号の説明】
１      ジャバラ
１ａ    ジャバラ
２      レンズキャリッジ
２ａ    レンズキャリッジ
３      レンズレール
３ａ    レンズレール
４      キャリッジブラケット
４ａ    キャリッジブラケット
５      立ち上がり部
５ａ    シュー
６      シュー
７      光学ベース
８      レンズ
８ａ    レンズ
９      レンズベース
９ａ    レンズベース
１０    回転軸
１０ａ  回転軸
１１    回転軸
１１ａ  回転軸
１２    プーリ
１３    プーリ
１４    ループ部材
１４ａ  ループ部材
１５    歯車機構
１５ａ  歯車機構
１６    遮光板
１７    遮光板
１８    貼付部
１９    貼付部
２０    両面テープ
２１    間隙
２２    ガイド部材
２３    貼着テープ
２４    係止部
２５    傾斜面
２５ａ  傾斜面
２５ｂ  傾斜面
【図１】
0003574528.tif 000002
【図２】
0003574528.tif 000003
【図３】
0003574528.tif 000004
【図４】
0003574528.tif 000005
【図５】
0003574528.tif 000006
【図６】
0003574528.tif 000007
【図７】
0003574528.tif 000008
【図８】
0003574528.tif 000009
【図９】
0003574528.tif 000010
【図１０】
0003574528.tif 000011
【図１１】
0003574528.tif 000012
【図１２】
0003574528.tif 000013
【図１３】
0003574528.tif 000014
【図１４】
0003574528.tif 000015
【図１５】
0003574528.tif 000016
【図１６】
0003574528.tif 000017
【図１７】
0003574528.tif 000018